【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
コンピュータ実装方法であって、
仮想現実(VR)アプリケーションによってサポートされるサービスを開始するための、VRデバイスユーザの音声コマンドを認識するステップと、
生体情報を前記VRデバイスユーザのユーザアカウントに登録するために、1つまたは複数の生体センサを使用して前記VRデバイスユーザの前記生体情報を収集するステップと、
前記サービスを提供するサーバに生体登録要求を送るステップであって、前記生体登録要求が、前記ユーザアカウントに関連する、前記生体情報を含む、ステップと
前記1つまたは複数の生体センサを使用して前記VRデバイスユーザの1つまたは複数の生体特性を収集するステップと、
前記1つまたは複数の生体特性に基づいてユーザ識別認証を実行するステップと、
前記ユーザ識別認証が成功すると、
前記音声コマンドに基づいて音声認識要求を構築するステップと、
アクセスインターフェースを通して前記音声認識要求を前記サーバに送るステップと、
前記音声コマンドに関連する文字列命令を受信するステップと、
前記文字列命令に応じて前記サービスを実行するステップと
を含む、コンピュータ実装方法。
【請求項２】
前記サービスを取り消すための、前記VRデバイスユーザの音声コマンドを認識した後で、前記サービスを取り消すステップをさらに含む、請求項1に記載のコンピュータ実装方法。
【請求項３】
別のサービスに切換えるための、前記VRデバイスユーザの音声コマンドを認識した後で、別のサービスに切換えるステップをさらに含む、請求項1に記載のコンピュータ実装方法。
【請求項４】
ユーザを検出するために生物学的検定プロセスを実行するステップと、
前記生物学的検定プロセスに基づいて前記ユーザが検出された場合、生体認証を実行するように前記ユーザに通知するための通知をVRシナリオ内に提示するステップと
をさらに含む、請求項1に記載のコンピュータ実装方法。
【請求項５】
前記生物学的検定プロセスが、瞬きの認識または心拍の認識を含む、請求項4に記載のコンピュータ実装方法。
【請求項６】
生体認証を実行するようにユーザを案内するための仮想案内をVRシナリオ内に提示するステップをさらに含む、請求項1に記載のコンピュータ実装方法。
【請求項７】
生体認証要求を前記サーバに送るステップであって、前記生体認証要求が、前記サーバが生体認証のための前記生体情報と比較するための前記1つまたは複数の生体特性を含む、ステップと
をさらに含む、請求項1に記載のコンピュータ実装方法。
【請求項８】
前記1つまたは複数の生体特性が、前記VRデバイスユーザの指紋を含む、請求項1に記載のコンピュータ実装方法。
【請求項９】
動作を実行するためにコンピュータシステムによって実行可能な1つまたは複数の命令を記憶した、非一時的なコンピュータ可読記憶媒体であって、前記動作が、
仮想現実(VR)アプリケーションによってサポートされるサービスを開始するための、VRデバイスユーザの音声コマンドを認識することと、
生体情報を前記VRデバイスユーザのユーザアカウントに登録するために、1つまたは複数の生体センサを使用して前記VRデバイスユーザの前記生体情報を収集することと、
前記サービスを提供するサーバに生体登録要求を送ることであって、前記生体登録要求が、前記ユーザアカウントに関連する、前記生体情報を含む、送ることと
前記1つまたは複数の生体センサを使用して前記VRデバイスユーザの1つまたは複数の生体特性を収集することと、
前記1つまたは複数の生体特性に基づいてユーザ識別認証を実行することと、
前記ユーザ識別認証が成功すると、
前記音声コマンドに基づいて音声認識要求を構築することと、
アクセスインターフェースを通して前記音声認識要求を前記サーバに送ることと、
前記音声コマンドに関連する文字列命令を受信することと、
前記文字列命令に応じて前記サービスを実行することと
を含む、非一時的なコンピュータ可読記憶媒体。
【請求項１０】
ユーザを検出するために生物学的検定プロセスを実行することと、
前記生物学的検定プロセスに基づいて前記ユーザが検出された場合、生体認証を実行するように前記ユーザに通知するための通知をVRシナリオ内に提示することと
をさらに含む、請求項9に記載の非一時的なコンピュータ可読記憶媒体。
【請求項１１】
生体認証要求を前記サーバに送ることであって、前記生体認証要求が、前記サーバが生体認証のための前記生体情報と比較するための前記1つまたは複数の生体特性を含む、送ることと
をさらに含む、請求項9に記載の非一時的なコンピュータ可読記憶媒体。
【請求項１２】
コンピュータ実装システムであって、
1つまたは複数のコンピュータと、
前記1つまたは複数のコンピュータに相互運用可能に結合され、命令を記憶した、有形の非一時的な機械可読記憶媒体を有する、1つまたは複数のコンピュータメモリデバイスと
を備え、
前記命令は、前記1つまたは複数のコンピュータによって実行されると、
仮想現実(VR)アプリケーションによってサポートされるサービスを開始するための、VRデバイスユーザの音声コマンドを認識することと、
生体情報を前記VRデバイスユーザのユーザアカウントに登録するために、1つまたは複数の生体センサを使用して前記VRデバイスユーザの前記生体情報を収集することと、
前記サービスを提供するサーバに生体登録要求を送ることであって、前記生体登録要求が、前記ユーザアカウントに関連する、前記生体情報を含む、送ることと
前記1つまたは複数の生体センサを使用して前記VRデバイスユーザの1つまたは複数の生体特性を収集することと、
前記1つまたは複数の生体特性に基づいてユーザ識別認証を実行することと、
前記ユーザ識別認証が成功すると、
前記音声コマンドに基づいて音声認識要求を構築することと、
アクセスインターフェースを通して前記音声認識要求を前記サーバに送ることと、
前記音声コマンドに関連する文字列命令を受信することと、
前記文字列命令に応じて前記サービスを実行することと
を含む動作を実行する、コンピュータ実装システム。
【請求項１３】
ユーザを検出するために生物学的検定プロセスを実行することと、
前記生物学的検定プロセスに基づいて前記ユーザが検出された場合、生体認証を実行するように前記ユーザに通知するための通知をVRシナリオ内に提示することと
をさらに含む、請求項12に記載のコンピュータ実装システム。
【請求項１４】
生体認証要求を前記サーバに送ることであって、前記生体認証要求が、前記サーバが生体認証のための前記生体情報と比較するための前記1つまたは複数の生体特性を含む、送ることと
をさらに含む、請求項12に記載のコンピュータ実装システム。
【請求項１５】
生体認証を実行するようにユーザを案内するための仮想案内をVRシナリオ内に提示することをさらに含む、請求項9に記載の非一時的なコンピュータ可読記憶媒体。
【請求項１６】
生体認証を実行するようにユーザを案内するための仮想案内をVRシナリオ内に提示することをさらに含む、請求項12に記載のコンピュータ実装システム。
【請求項１７】
前記1つまたは複数の生体特性が、前記VRデバイスユーザの指紋を含む、請求項12に記載のコンピュータ実装システム。
【請求項１８】
前記サービスを取り消すための、前記VRデバイスユーザの音声コマンドを認識した後で、前記サービスを取り消すことをさらに含む、請求項9に記載の非一時的なコンピュータ可読記憶媒体。
【請求項１９】
別のサービスに切換えるための、前記VRデバイスユーザの音声コマンドを認識した後で、別のサービスに切換えることをさらに含む、請求項9に記載の非一時的なコンピュータ可読記憶媒体。
【請求項２０】
前記サービスを取り消すための、前記VRデバイスユーザの音声コマンドを認識した後で、前記サービスを取り消すことと
別のサービスに切換えるための、前記VRデバイスユーザの音声コマンドを認識した後で、別のサービスに切換えることと
をさらに含む、請求項12に記載のコンピュータ実装システム。